(57)【要約】【課題】画像を生成する場合、少なくとも２つの異なる画素クロック周波数あるいは画素ピッチが使用される。それらは、カラー走査印刷方法において周期的ハーフトーンパターンとともに使用される。異なる色分解に対して異なるクロック周波数を用いて、スクリーンジオメトリのためのより多くの選択が利用可能であり、したがって、望ましいモアレ挙動を有する新しいスクリーンセットが可能である。これは、例えば１２００ｄｐｉ以下の低解像度のデバイスに関して特に重要である。【解決手段】利用可能な限定された数の有理数タンジェントスクリーンジオメトリがあり、そして、モアレ相殺あるいはモアレ回避組合せはまれである。別の方法で利用できないハーフトーンジオメトリを提供するために少なくとも２つの色チャネルを書き込む場合、異なる画素クロック周波数が使用される。【選択図】図１
2008546351.tif 000002
【特許請求の範囲】
【請求項１】
印刷システムを駆動してカラー画像を生成させるための方法において、
前記印刷システムを駆動して第１の画素周期で第１の色に対する画素を生成させる工程と、
前記印刷システムを駆動して、前記第１の画素周期とは異なる、第２の画素周期で第２の色に対する画素を生成させる工程からなることを特徴とする方法。
【請求項２】
前記印刷システムが、印刷媒体上に前記第１の色に対する前記画素を生成し、かつ前記印刷媒体上に前記第２の色に対する前記画素を生成する、電子写真印刷デバイスを備えることを特徴とする請求項１に記載の方法。
【請求項３】
前記印刷システムが、インクジェットプリンタを備え、かつ、
前記印刷システムを駆動して前記第１の色に対する前記画素を生成させる工程が、前記第１の画素周期で第１の色プリントヘッドを駆動する工程と、
前記印刷システムを駆動して前記第２の色に対する前記画素を生成させる工程が、前記第２の画素周期で第２の色プリントヘッドを駆動する工程とからなることを特徴とする請求項１に記載の方法。
【請求項４】
前記印刷システムが、第１の版上に前記第１の色に対する前記画素を生成し、かつ第２の版上に前記第２の色に対する前記画素を生成する、版設定機あるいはイメージセッタを備え、前記第１の版および前記第２の版が、前記カラー画像を印刷するためのオフセットプリンタの中に装填されることを特徴とする請求項１に記載の方法。
【請求項５】
前記印刷システムを駆動して前記第１の画素周期および前記第２の画素周期で画素を生成させる工程が、異なる画素クロック周波数でプリントヘッドを駆動する工程からなることを特徴とする請求項１に記載の方法。
【請求項６】
前記印刷システムを駆動して前記第１の画素周期および前記第２の画素周期で画素を生成させる工程が、異なる速度で供給ドラムを駆動する工程からなることを特徴とする請求項１に記載の方法。
【請求項７】
前記印刷システムが、１２００ドット／インチ未満の固有解像度を有する低解像度デバイスであることを特徴とする請求項１に記載の方法。
【請求項８】
前記印刷システムが、約６００ドット／インチの固有解像度を有する低解像度デバイスであることを特徴とする請求項１に記載の方法。
【請求項９】
さらに、前記第２の画素周期に対して前記第１の画素周期を前記カラー画像内のモアレパターンを最小限に抑えるように選択する工程からなることを特徴とする請求項１に記載の方法。
【請求項１０】
受け取られた画像を、異なる画素周期を有する各々の印刷色に対して別々のハーフトーン色分解を備えたラスタライズされた画像に変換するためのラスタ画像プロセッサと、
印刷媒体上に前記異なる画素周期で前記色分解を印刷するための印刷エンジンとからなることを特徴とする印刷システム。
【請求項１１】
前記印刷エンジンが、印刷媒体上に第１の色に対する画素を生成し、かつ前記印刷媒体上に第２の色に対する画素を生成する電子写真印刷デバイスを備えることを特徴とする請求項１０に記載のシステム。
【請求項１２】
前記印刷エンジンが、第１の画素周期で第１の色プリントヘッドを駆動することによって第１の色に対する画素を生成し、かつ第２の画素周期で第２の色プリントヘッドを駆動することによって第２の色に対する画素を生成する、インクジェットプリンタを備えることを特徴とする請求項１０に記載のシステム。
【請求項１３】
前記印刷エンジンが、第１の版上に第１の色に対する画素を生成し、かつ第２の版上に第２の色に対する画素を生成する版設定機あるいはイメージセッタを備え、前記第１の版および前記第２の版が、カラー画像を印刷するためのオフセットプリンタの中に装填されることを特徴とする請求項１０に記載のシステム。
【請求項１４】
前記印刷エンジンが、異なる画素クロック周波数で駆動されるプリントヘッドを有することを特徴とする請求項１０に記載のシステム。
【請求項１５】
さらに、異なる速度で駆動される印刷ドラムを備える請求項１０に記載のシステム。
【請求項１６】
前記印刷エンジンが、１２００ドット／インチ未満の固有解像度を有する低解像度デバイスである、ことを特徴とする請求項１０に記載のシステム。
【請求項１７】
前記印刷エンジンが、約６００ドット／インチの固有解像度を有する低解像度デバイスであることを特徴とする請求項１０に記載のシステム。
【請求項１８】
第２の画素周期に対して第１の画素周期が、印刷画像内のモアレパターンを最小限に抑えるように選択されることを特徴とする請求項１０に記載のシステム。
【請求項１９】
カラー連続階調画像を、異なる画素周期を有する異なる色に対して異なるスクリーンを備えたことを特徴とするカラーハーフトーン画像に変換するためのスクリーンセット。
【請求項２０】
前記異なるスクリーンに対する前記画素周期が、前記ハーフトーン画像内のモアレパターンを最小限に抑えるために互いに対して選択されることを特徴とする請求項１９に記載のスクリーンセット。
【発明の詳細な説明】
【技術分野】
【０００１】
画像を生成する場合、少なくとも２つの異なる画素クロック周波数あるいは画素ピッチが使用される。それらは、カラー走査印刷工程において周期的ハーフトーンパターンとともに使用される。異なる色分解に対して異なるクロック周波数を用いて、スクリーンジオメトリのためのより多くの選択が利用可能であり、したがって、望ましいモアレ挙動を有する新しいスクリーンセットが可能である。
【背景技術】
【０００２】
画像は、一般的に、各画像要素、即ち画素が色調値を有する連続階調画像として記録および保存される。例えば、ディジタル的に保存された「白黒」画像を考慮すれば、各画素は、例えば白と黒との間の、２５６階調の間で、その階調を設定する対応する値を有する。カラー画像は、原色の各々に対して３つ以上の階調値を有することができる。
【０００３】
しかしながら、多くの印刷工程は、各々のアドレス指定可能な位置あるいは画素において任意の色調値を描画することができない。ほとんどのフレキソ印刷、ゼログラフィ、インクジェット、オフセット印刷、電子写真（例えばレーザプリンタ、発光ダイオード（ＬＥＤ）プリンタ、印刷能力を含む多機能デバイスおよびディジタル複写機を含む）方法は、基本的に各画素で色が印刷されるかあるいは色が印刷されない二者択一の手順である。紙の上の各アドレス指定可能点において、これらの方法は一般に着色剤あるいは複数の着色剤の１つ以上のドットを置くかあるいはその箇所を空白のままにすることができる。
【０００４】
例えば、ほとんどの電子写真ベースのデバイスでは、トナーは発光ダイオードのバーからの照明によって所望の画像のパターンで静電気的に帯電されたドラムに選択的に転写される。トナーは、それからドラムから印刷媒体に転写され、次いでそこで溶解される。いくつかの色デバイスにおいて、一連のドラムが異なる画像分解あるいは色平面の各々を提供される。例えば一般の４色の印刷工程において、シアン、マゼンタ、黄および黒色トナーが、色スペクトルを紙媒体上に作成するために連続ドラムによって付け加えられる。他の配置では、色スペクトルは単一のドラム上に作成され、次いで媒体へ転写される。
【０００５】
インクジェット印刷システムにおいて、インクジェットプリントヘッドを駆動する印刷ドライバ内に、画像が装填される。このヘッドは、次いで一般的に紙基板媒体上で水平あるいはｘ軸に画像を描画するために、例えばシアン、マゼンタ、黄、および、黒などのさまざまな色のインク液滴を被着させる。紙（あるいは場合によってはヘッド）は、長手方向、紙送り、あるいはｙ軸をアドレス指定するために並進される。しかしながら、時には、ヘッドは部分的にｙ軸をアドレス指定するノズルの列を備えている。
【０００６】
オフセット印刷は、多くの市販用途に使用されている。印刷媒体は、複数の印刷機ユニットを通して進行する。各々のユニットは、異なる画像分解あるいは色平面を紙ウエブに順番に適用する。例えば、一般の４色の印刷方法で、シアン、マゼンタ、黄および黒インクが色スペクトルをウエブ上に作成するために連続印刷機ユニットによって付け加えられる。
【０００７】
画像は、これらの印刷ユニット上で一般的に印刷版上に保持される。別々の印刷版が、印刷ユニットの各々において分解の各々に対して提供される。版システムに対するより新しいコンピュータは、これらの版上で直接画像の生成を可能にする。しかしながら、他のシステムでは、画像は最初にフィルム基板の上に形成され、次いで印刷版へ転写される。
【０００８】
連続階調画像をこれらの印刷方法制約と両立するフォーマットに変換することは、ハーフトーン処理と呼ばれる。連続階調画素の色調値は、平均されると、観察者に所望の色調値として見える二値ドットパターンになる。ドットパターンによって与えられる画線比率(coverage)がより大きいほど、色調値はより濃くなる。
【０００９】
多くの技術が、連続階調画像をハーフトーン画像に変換する方法の中に、どのようにハーフトーンドットを配置するべきかについて決定するために存在する。ディジタルハーフトーンを生成する一般の方法は、古典的光学方法をシミュレートする閾値マスクあるいはスクリーンを使用する。これらのマスクは、出力媒体上のアドレス指定可能点あるいは画素と空間的に一致する閾値のアレイである。各々の位置で、連続階調画像からの入力値が、ドットを印刷するべきかどうかを判断するために閾値と比較される。
【００１０】
最も単純な場合では、古典的スクリーンが、２つの方向に平行線に沿って、すなわち画像の平面内の平行四辺形タイルの頂点に、配置されるハーフトーンドットを作り出す。２つの方向が直角の場合、スクリーンは単一の角度および周波数によって指定されることができる。
【００１１】
しかし、インクの間の不必要な共通吸収スペクトル帯に起因して、モアレ相互作用が印刷出力上に現れる可能性があることは周期的スクリーニングの周知の課題である。モアレを回避するために、正確な角度および周波数組合せが相互作用を「相殺する」ために使用されることができる。そのような組合せは、チャネルのうちの３つに対して伝統的角度（７５、１５、４５度）を全て同じ周波数で、使用することである。しかし、無限の数のモアレ相殺組合せが存在する。さらに、モアレがあまりに高い周波数で目立たなくなるように、スクリーンを設計することもまた可能である（例えばローゼットパターン）。
【００１２】
ディジタル印刷システム上で、周期的パターンの可能な角度および周波数は基底画素格子の離散的な性質によって制限される。残念なことに、それらの無理数タンジェントのため、伝統的角度および周波数は正確に再現されることができない。
【００１３】
いくつかの方法（例えばアグファ均衡スクリーニング、特許文献１を参照）は、モアレ相殺特性をなお保つと共に、適切な有理数近似によって所望の角度および周波数に対して少しの変更をすることによってこの課題を克服することができる。しかし、低解像度で、この近似の他の副作用、特に、一種のディジタルエイリアシングである「オートモアレ」現象が視認できる。他方、伝統的でないモアレ相殺／回避組合せが、ディジタル格子上で可能であるが、これらは低解像度においてきわめてまれである。
【００１４】
典型的な電子写真印刷デバイスの画素格子は、２つのパラメータ：走査（あるいはＸ軸）方向にレーザプリンタ、イメージセッタまたは版設定機（あるいはインクジェットプリンタの場合インク滴被着器）の走査型レーザに送られる信号のクロック周波数と、紙送り（あるいはＹ軸）方向のステッパーモータ／ドラム／供給機構速度と、によって定められる。パラメータは、一般的に両方向に標準の解像度、例えば６００ドット／インチ（ｄｐｉ）を達成するように設定される。
【００１５】
レーザおよび電子帯域幅の改良は、より高い走査周波数の使用が、Ｘ方向により高い解像度（例えば２４００ｄｐｉ）を与えることを可能にし、それは、改良されたハーフトーンジオメトリによって粒の粗さを減少し、ディテールを向上し、モアレを減少した印刷を提供することができる。しかし、この種のシステムは、より高品質のトナーおよびインクならびにより高価な部品の使用を必要とし、かつ画像形成パイプラインのデータの増加に起因してより低速な可能性がある。
【特許文献１】米国特許第５，１５５，５９９号明細書
【発明の開示】
【発明が解決しようとする課題】
【００１６】
本発明は、少なくとも２つの異なる画素クロック周波数あるいは画素ピッチの使用に関する。それらは、カラー印刷工程における周期的ハーフトーンパターンとともに使用される。異なる色分解に対して異なるクロック周波数を用いて、物理的スクリーンジオメトリに対するより多くの選択が利用可能であり、したがって、物理的ジオメトリ／画素サイズを備えた新しいスクリーンセットが望ましいモアレ挙動を与えるために作成されることができる。これは、例えば１２００ｄｐｉ以下の低解像度デバイスに特に重要である。ここで、限定された数の有理タンジェントスクリーンジオメトリが利用可能であり、および、このセット内のスクリーンの各々にわたって同じ画素ピッチを有する従来のスクリーンセットを使用する場合、モアレ相殺あるいはモアレ回避組合せはまれである。
【００１７】
別の方法で利用できないハーフトーンジオメトリを与えるために少なくとも２つの色チャネルを書き込む場合、異なる画素クロック周波数が使用される。具体例が、６００ｄｐｉ平方の画素デバイスに対して与えられる。しかし、この方法は、高解像度あるいはマルチレベル出力を近似するために、正方形および非正方形の解像度あるいはパルス幅調整器（ＰＷＭ）を使用するデバイスに等しく適用可能である。それは、また、ドラムあるいは供給機構速度を変更することができるシステムおよび／または可変的な液滴サイズおよび／または希釈された着色剤を備えたインクジェットデバイスにも適用可能である。
【課題を解決するための手段】
【００１８】
一般に、１つの態様によれば、本発明は印刷システムを駆動してカラー画像を生成させための方法を特徴とする。１つの実施例において、この印刷システムはインクジェットプリンタあるいは電子写真デバイス、例えばレーザプリンタである。他の用途において、この印刷システムは、フィルムを画像形成するためにイメージセッタを使用するオフセット印刷システムであり、それはその時さまざまな色分解に対して色版を作るために使用され、あるいは別々の版を直接画像形成する版設定機である。
【００１９】
この方法は、印刷システムを駆動して第１の画素周期に第１の色に対する画素を生成させ、かつ印刷システムを駆動して第１の画素周期とは異なる第２の画素周期に第２の色に対する画素を生成させる工程を含む。
【００２０】
好ましい実施態様において、この印刷システムはインクジェットあるいはレーザ印刷デバイスであり、異なる画素解像度が一般的に紙基板上に画像を描画するために使用される。
【００２１】
インクジェットプリンタの場合、異なる画素解像度が異なる画素ピッチでインクジェットプリントヘッドを駆動することによって異なる色に対して使用される。
【００２２】
本発明に対する典型的な用途において、それは例えば約１２００ドット／インチ以下の解像度で印刷するデバイスなどの相対的に低解像度デバイスに適用される。わずか約６００ドット／インチの解像度を有するデバイスで、それは特に有用である。
【００２３】
一般に、別の態様によれば、本発明は印刷システムを特徴とする。このシステムは、受け取られた画像を、印刷色の各々に対して別々のハーフトーン分解を備えたラスタライズされた画像に変換するためのラスタ画像処理プロセッサを備える。本発明によれば、これらのハーフトーン分解は異なる画素周期を有する。次いで、印刷エンジンが印刷媒体上で異なる周期で色分解を印刷するために使用される。
【発明の効果】
【００２４】
部品の構成および組合せのさまざまな新規な詳細および他の利点を含む本発明の上記のおよび他の特徴が、次に添付の図面に関して詳細に記載され、かつ請求項において指摘される。本発明を実施する特定の方法および装置は例証として示され、かつ、本発明の制約としてではないことは理解されよう。本発明の原理および特徴は、本発明の目的から逸脱することなく、さまざまで数多くの実施態様において使用されることができる。
【００２５】
添付の図面において、参照符号は異なる図の全体にわたって同じ部分を参照する。図面は、必ずしも一定の比率であるというわけではなく、重点は、それよりも本発明の原理を例示することに置かれた。
【発明を実施するための最良の形態】
【００２６】
図１は、本発明の原理に従って構成された印刷システム１００を示す。
【００２７】
共通の実施において、入力ソースファイル２は、ポストスクリプト（あるいはその他のＰＤＬ）ファイル、あるいはポータブル文書ファイル（．ｐｄｆ）である。これは、一般的に紙ウエブ８上に印刷されるべきページの連続階調画像を備える。他の場合には、画像はＧＤＩ（グラフィックデバイスインターフェース）呼出しを使用して表される。ＧＤＩは、コンピュータから出力デバイス、例えばプリンタへの伝達に対してグラフィックオブジェクトを表すための規格である。
【００２８】
ラスタ画像プロセッサ（ＲＩＰ）１０は、次いで、ソースファイル（単数または複数）あるいは呼出しを、電子写真あるいはオフセット、例えば印刷に適切なフォーマットに変換し、あるいはラスタ画像処理するために使用される。すなわち、ページレベルの画像はハーフトーン化され、かつハーフトーン画像のラスタ走査に適切なフォーマットに変換される。したがって、ラスタ画像プロセッサ１０は、４つのデータセットのページレベルのハーフトーン画像データを生成する。各データセットは、カラー印刷ユニット２０Ｃ、２０Ｍ、２０Ｂおよび２０Ｙで使用される異なる色平面あるいは分解を表す。
【００２９】
オフセット印刷具体例において、異なる色データセットが版あるいはローラーの製作に使用される。
【００３０】
より一般の電子写真具体例において、データセットは、感光性ドラム２４を感光させてトナーを印刷媒体８へ転写するための静電潜像を作成するために使用される。しかしながら、他の具体例においては、色スペクトルは単一の感光性ドラム上に作成され、次いで１つ以上のサイクルで印刷媒体へ転写される。
【００３１】
ディジタルハーフトーン処理は、連続階調画像およびテキストの二値あるいはハーフトーン表現への変換を伴う。連続階調画素の色調値は、平均されると、所望の色調値として観測者に見える二値ドットパターンになる。ドットパターンによって与えられるカバレージがより大きいほど、色調値はより濃くなる。
【００３２】
ディジタルハーフトーンを作成することに対する一般の方法は、古典的光学方法をシミュレートする閾値マスクを使用する。このマスクは、出力媒体上のアドレス指定可能点と空間的に一致する閾値のアレイである。各位置において、連続階調画像からの入力値は、ドットを印刷するかどうかを判断するために閾値と比較される。小さいマスク（タイル）が、周期的にそれを適用することによって大きな画像上で使用されることができる。
【００３３】
本発明に従って、スクリーン４０が色分解の各々に対して設けられる。本発明によれば、スクリーンの画素ピッチは、互いに異なる。モアレ相殺に対する望ましい特性を有するスクリーンセットが設計され、そのために、スクリーンのうちの少なくとも２つが走査方向（ｘ軸）あるいは走査および紙送り方向（ｘおよびｙ軸）に２つの異なる画素周期あるいはピッチを使用するセル構造を有する。
【００３４】
好ましくは、スクリーンに対する画素周期は両方ともデバイスの「固有の」解像度に近い。
【００３５】
画素の水平空間周期を変えることは１つの自由度だけの制御を与えるが、一般的な平行四辺形形状のハーフトーンセルは４つの自由度を有する。それで、この一実施態様のこの方法を使用することは、スクリーンパラメータの完全な制御を与えない。実際、２つの角度あるいは周波数のうち１つだけが、正確に設定されることができる。ｘ−方向に画素周期を増やすことは、ｘ−方向の周波数を減少させる効果を有し、そして、逆もまた同じである。
【００３６】
したがって、「ＲＩＰ（ラスタ画像処理）する」工程は一組の色平面を与える。具体例において、これらはシアン、マゼンタ、黒および黄のページレベルのラスタ画像データである。これは、ハーフトーン画像に対する１ビット画像データである。
【００３７】
いくつかの実施態様において、ラスタ画像プロセッサ１０はクロック設定信号４２を発生する。この信号は、それらの異なる画素周期でスクリーンを描画するのに必要とされる画素クロック周波数を決定する。他の具体例において、色分解に対する異なる画素周期はＣＭＹＫページレベル画像データファイル内に保存される。
【００３８】
他の実施態様において、プロセッサ１０はまた印刷ドラムの回転数を指示し、ｙ軸方向の画素あるいは画素ピッチのサイズを指示する、ドラム駆動信号を発生する。
【００３９】
これらのページレベル画像データは、レーザプリンタの場合画像形成駆動システムである、印刷エンジン１８によって受信される。このデバイスあるいはコンピュータは、ドラム２４の選択的露光を支配するデータを供給し、したがって、印刷媒体８上の着色剤の付着を制御する。
【００４０】
レーザプリンタの具体例において、それらが所望のパターンでトナー施着ドラムあるいはユニット２２からトナーを取り上げて、トナーを媒体８に転写するように、色分解印刷ユニット２０Ｃ、２０Ｍ、２０Ｂ、２０Ｙのドラム２４は、対応する色と関連する画像とともに発光ダイオードバー２１によって露光される。具体的には、シアンドラムはプリンタ２５のシアン印刷ユニット２０Ｃのシアン分解によって画像形成され、マゼンタドラムはマゼンタ印刷ユニット２０Ｍのマゼンタ分解によって画像形成され、黒印刷ドラムは黒印刷ユニット２０Ｂの黒分解によって画像形成され、そして、黄ドラムは黄印刷ユニット２０Ｙの黄分解によって画像形成される。媒体８は、次いで対応するトナーを受け取るためにこれらの印刷ユニット２０Ｃ、２０Ｍ、２０Ｂおよび２０Ｙの各々を連続して通過する。
【００４１】
版設定機の具体例において、画像形成エンジン内に直接露出されたか、あるいは画像形成エンジン内に露出されたフィルムから作成されたか、どちらかのローラーあるいは版が、次いでウエブ印刷機内で使用される。具体的には、シアン版は印刷機のシアン印刷ユニット２０Ｃの中に装填され、マゼンタ版は、マゼンタ印刷ユニット２０Ｍの中に装填され、黒印刷版は、黒印刷ユニット２０Ｂの中に装填され、そして、黄色平面用の版は、黄印刷ユニット２０Ｙの中に装填される。ウエブは次いでこれらの印刷ユニット２０Ｃ、２０Ｍ、２０Ｂおよび２０Ｙの各々を連続して通過し、各印刷ユニットがそれによって媒体８上に完全スペクトル画像を生成するようにその色を適用する。
【００４２】
本発明によれば、印刷エンジン１８はまたクロック周波数を画像形成エンジン１８用の画素クロック４４に対して設定する。このクロックは、レーザビームが変調される速度、したがってまた、ｘ軸方向の媒体８の上に形成される画素のサイズあるいはピッチあるいは周期を決定する。したがって、クロック４４は、ページレベル画像データの画素周期と整合する１画素のピッチで、さまざまな色分解に対するスクリーンが印刷されるように、設定される。
【００４３】
別の実施態様において、エンジン１８はまた供給ドラムあるいは媒体供給機構４８の回転速度を設定するために使用されるドラム速度設定信号を発生する。これはドラム４８がどのように急速に回転するかについて、したがってまた、ｙ軸方向の画素のサイズあるいはピッチについて制御する。
【００４４】
図２は、本発明に従うインクジェット印刷システムを例示する。この例では、連続階調画像データ２は、ラスタ画像プロセッサハーフトーン処理段１０に再び与えられる。これは、また、多ピッチハーフトーンスクリーン４０を備えている。
【００４５】
得られたＣＭＹＫ色分解が、インクジェット印刷エンジン１８に与えられる。ハーフトーン処理段はまた、いくつかの実施態様において、インクジェットプリントヘッドクロック４４を制御して、ドラム速度設定信号をドラム４８に送信する。したがって、色分解の各々がプリントヘッド１７によって印刷物８上に印刷される場合、対応する画素が、対応する色分解に対するスクリーンと整合する周期およびピッチで生成されるように、ラスタ画像プロセッサは、画素クロック速度４４およびドラム速度４８を設定する。
【００４６】
いくつかの具体例において、エンジン１８は、おそらくインク滴のサイズを含んで、インクジェットプリントヘッド１７がインクを紙８の上に被着させる速度、あるいは、ヘッドの横方向の走査速度を制御する。
【００４７】
図３は、画素周期を変える効果を例示する。ｘ−方向に画素周期を増大することは、ｘ−方向の周波数を減少させる効果を有し、そして、逆もまた同じである。多くの状況において、この変化が、必要な全てである。
【００４８】
図４は、色分解の各々に対するスクリーンの間の関係を例示する。
【００４９】
具体例として、１つの角度および周波数だけがスクリーンあたり考慮される必要があるように、線スクリーンセットを論ずる。シアンスクリーン６２およびマゼンタ６４が正方形のセルおよび周期Ｔ２の正方形の画素に基づいて傾斜２／３および−２／３を備えた線スクリーンであるように指定される場合、ゼロ（０）度に設定される黒スクリーン６６の画素周期は、２次のオーダーのモアレを相殺するために周期Ｔ２の１３／３画素の画素周期を有するべきである、と算出されることができる。
【００５０】
整数の画素を必要とするので、黒周期をサイズＴ１の４画素であるように選択する。Ｔ１＝１３／１２  Ｔ２が、容易に算出されることができる。したがって、Ｔ１が、例えば、６００ｄｐｉと一致する場合、Ｃ、Ｍ解像度Ｔ２は６５０ｄｐｉ（＝１３／１２＊６００）に設定されるべきである。
【００５１】
図５が、この方法を例示する。さまざまな色分解に対して異なるピッチを備えたスクリーンが、工程２１０において設計される。
【００５２】
次いで、色分解がこの印刷方法中に工程２１２において決定される。
【００５３】
工程２１４において、画像ラスタライザが、異なる所望の解像度で異なる色チャネルを画素化する。次いで工程２１６において、チャネル画像が色チャネルの各々に対して着色剤画像を作成するために設計されたスクリーンを使用してハーフトーン化される。工程２１８において、信号を生成するために使用されるクロック周波数が調整され、あるいは、ドラム工程が異なる解像度を達成するように設定される。最後に、これらの画像は最終的には工程２２０においてレーザあるいはプリントヘッドを駆動する信号を生成するために使用される。
【００５４】
本発明が特にその好適な実施態様を参照して図と共に示され、記載されたが、形態および詳細におけるさまざまな変更が、添付の特許請求の範囲によって包含される本発明の目的から逸脱することなく、それに関してなされることができることは、当業者によって理解されるであろう。
【図面の簡単な説明】
【００５５】
【図１】本発明に従うカラー電子写真印刷システムの概略図である。
【図２】本発明に従うインクジェットプリンタの概略図である。
【図３】本発明に従う水平方向の画素周期を調整する場合、画素ピッチあるいは周波数の変化を示すプロットである。
【図４】シアンおよびマゼンタスクリーンに対する有理セルおよびモアレ相殺に対する非整数黒セル周期を示す概略図である。
【図５】本発明に従って描画デバイスを駆動してカラー画像を生成させるための方法を例示する流れ図である。
【符号の説明】
【００５６】
２  入力ソースファイル
８  紙ウエブ（媒体）
１０  ＲＩＰ
１７  プリントヘッド
１８  印刷エンジン
２０  ユニット
２２  ユニット
２４  ドラム
２５  プリンタ
４０  スクリーン
４４  クロック
４８  媒体供給機構
６２  シアンスクリーン
６４  マゼンタスクリーン
６６  黒スクリーン
１００  印刷システム
２１０  工程
２１２  工程
２１６  工程
２１８  工程
２２０  工程
【図１】
2008546351.tif 000003
【図２】
2008546351.tif 000004
【図３】
2008546351.tif 000005
【図４】
2008546351.tif 000006
【図５】
2008546351.tif 000007